(57)【特許請求の範囲】
【請求項１】
レーザ光射出手段と、
前記レーザ光射出手段に高周波成分が重畳された駆動電流を供給する駆動手段と、
を備える光ディスク装置であって、
前記レーザ光射出手段から射出されたレーザ光量を検出する検出手段と、
前記レーザ光量に応じて前記高周波成分の重畳量を調整する制御手段と、
を有し、
前記検出手段は、前記レーザ光射出手段近傍に設けられ、合焦状態において前記レーザ光射出手段からのレーザ光量を検出する受光手段を有し、
前記制御手段は、前記重畳量を変化させたときの前記受光手段で検出されたレーザ光量の変化に基づき、レーザ光量の変化量が所定値以下となるまで前記重畳量を順次増大調整することを特徴とする光ディスク装置。
【請求項２】
レーザ光射出手段と、
前記レーザ光射出手段に高周波成分が重畳された駆動電流を供給する駆動手段と、を備える光ディスク装置であって、
前記レーザ光射出手段から射出されたレーザ光量を検出する検出手段と、
前記レーザ光量に応じて前記高周波成分の重畳量を調整する制御手段と、
を有し、
前記検出手段は、合焦状態において前記レーザ光射出手段から射出され光ディスクで反射されたレーザ光量を検出する受光手段を有し、
前記制御手段は、前記重畳量を変化させたときの前記受光手段で検出されたレーザ光量の変化に基づき、レーザ光量の変化量が所定値以下となるまで前記重畳量を順次増大調整することを特徴とする光ディスク装置。
【請求項３】
レーザ光射出手段と、
前記レーザ光射出手段に高周波成分が重畳された駆動電流を供給する駆動手段と、を備える光ディスク装置であって、
前記レーザ光射出手段から射出されたレーザ光量を検出する検出手段と、
前記レーザ光量に応じて前記高周波成分の重畳量を調整する制御手段と、
を有し、 
前記検出手段は、合焦状態及び非合焦状態において前記レーザ光射出手段から射出され光ディスクで反射されたレーザ光量を検出する受光手段を有し、
前記制御手段は、前記合焦状態における前記受光手段で検出されたレーザ光量が前記非合焦状態におけるレーザ光量に対して所定値より大なる場合に前記高周波成分の重畳量を増大させることを特徴とする光ディスク装置。
【請求項４】
レーザ光射出手段と、
前記レーザ光射出手段に高周波成分が重畳された駆動電流を供給する駆動手段と、を備える光ディスク装置であって、
前記レーザ光射出手段から射出されたレーザ光量を検出する検出手段と、
前記レーザ光量に応じて前記高周波成分の重畳量を調整する制御手段と、
を有し、 
前記検出手段は、前記レーザ光射出手段近傍に設けられ、合焦状態及び非合焦状態において前記レーザ光射出手段からのレーザ光量を検出する受光手段を有し、
前記制御手段は、前記合焦状態における前記受光手段で検出されたレーザ光量が前記非合焦状態におけるレーザ光量に対して所定値より大なる場合に前記高周波成分の重畳量を増大させることを特徴とする光ディスク装置。
【請求項５】
レーザ光射出手段と、
前記レーザ光射出手段に高周波成分が重畳された駆動電流を供給する駆動手段と、を備える光ディスク装置であって、
前記レーザ光射出手段から射出されたレーザ光量を検出する検出手段と、
前記レーザ光量に応じて前記高周波成分の重畳量を調整する制御手段と、
を有し、 
前記検出手段は、前記レーザ光射出手段から射出され光ディスクのピット及びランドで反射されたレーザ光量を検出する受光手段を有し、
前記制御手段は、前記ランドにおける前記受光手段で検出されたレーザ光量が前記ピットにおけるレーザ光量に対して所定値より大なる場合に前記高周波成分の重畳量を増大させることを特徴とする光ディスク装置。
【請求項６】
レーザ光射出手段と、
前記レーザ光射出手段に高周波成分が重畳された駆動電流を供給する駆動手段と、を備える光ディスク装置であって、
前記レーザ光射出手段から射出されたレーザ光量を検出する検出手段と、
前記レーザ光量に応じて前記高周波成分の重畳量を調整する制御手段と、
を有し、
前記検出手段は、前記レーザ光射出手段近傍に設けられ、光ディスクのピット及びランドにおいて前記レーザ光射出手段から射出されたレーザ光量を検出する受光手段を有し、
前記制御手段は、前記ランドにおける前記受光手段で検出されたレーザ光量が前記ピットにおけるレーザ光量に対して所定値より大なる場合に前記高周波成分の重畳量を増大させることを特徴とする光ディスク装置。
【請求項７】
請求項２〜６のいずれかに記載の装置において、
前記レーザ光射出手段から射出されるレーザ光量を一定に維持する調整手段と、
をさらに有し、前記制御手段は、前記調整手段の動作を実質的に停止させて前記重畳量を調整することを特徴とする光ディスク装置。
【請求項８】
レーザ光射出手段と、
前記レーザ光射出手段に高周波成分が重畳された駆動電流を供給する駆動手段と、
を備える光ディスク装置であって、
前記レーザ光射出手段から射出されるレーザ光量を一定に維持すべく駆動電流を調整する調整手段と、
前記駆動電流が基準値以下である場合に前記高周波成分の重畳量を増大させるように調整する制御手段と、
を有することを特徴とする光ディスク装置。
【請求項９】
レーザ光射出手段と、
前記レーザ光射出手段に高周波成分が重畳された駆動電流を供給する駆動手段と、    
を備える光ディスク装置であって、
合焦状態及び非合焦状態において前記レーザ光射出手段から射出されるレーザ光量を一定に維持すべく駆動電流を調整する調整手段と、
前記合焦状態における駆動電流が前記非合焦状態における駆動電流よりも所定値以上小なる場合に前記高周波成分の重畳量を増大させる制御手段と、
を有することを特徴とする光ディスク装置。
【発明の詳細な説明】
【０００１】
【発明の属する技術分野】
本発明は光ディスク装置、特に半導体レーザ（レーザダイオード）の駆動電流に高周波信号を重畳する技術に関する。
【０００２】
【従来の技術】
レーザ光を用いて光ディスクに記録あるいは再生を行う光ディスク装置において、半導体レーザ（レーザダイオード：ＬＤ）を駆動する駆動電流にはノイズを抑制するために高周波信号（ＨＦ）が重畳されている。ＬＤから射出したレーザ光は光ディスクに照射され、光ディスクで反射されてその一部がＬＤに戻るが、この戻り光によりノイズが発生する。そこで、ＬＤの駆動電流に３００ＭＨｚ程度のＨＦを重畳して戻り光による発振を抑え、再生特性を安定化させている。図１２には、ＨＦが重畳されたＬＤ駆動信号波形の一例が示されている。
【０００３】
ここで、ＨＦの重畳量が少なすぎると十分なノイズ抑制効果が得られず、ＨＦの重畳量が多すぎるとＬＤの最大射出パワーが制限される。そこで、特開平６−２７４９１９号公報では、低パワー発光時にはＨＦの重畳量を多くしてノイズを抑制するとともに、高パワー発光時にはＨＦの重畳量を少なくすることでＬＤの最大射出パワーを越えることがないように設定する技術が記載されている。
【０００４】
【発明が解決しようとする課題】
しかしながら、ＬＤの特性はＬＤ毎、すなわちＬＤを備える光ディスク装置毎に異なり、ある光ディスク装置においてＨＦの重畳量を最適化したとしても、別の光ディスク装置においてはその重畳量が必ずしも最適値ではなく、所定の重畳量でＨＦを重畳したとしてもその重畳量が少なすぎ、戻り光によってノイズが発生してしまう問題があった。
【０００５】
本発明は、上記従来技術の有する課題に鑑みなされたものであり、その目的は、ＬＤ毎の特性ばらつきによらず、常に最適のＨＦ重畳量を設定することができる光ディスク装置を提供することにある。
【０００６】
【課題を解決するための手段】
本発明は、レーザ光射出手段と、前記レーザ光射出手段に高周波成分が重畳された駆動電流を供給する駆動手段とを備える光ディスク装置であって、前記レーザ光射出手段から射出されたレーザ光量を検出する検出手段と、前記レーザ光量に応じて前記高周波成分の重畳量を調整する制御手段とを有し、前記検出手段は、前記レーザ光射出手段近傍に設けられ、合焦状態において前記レーザ光射出手段からのレーザ光量を検出する受光手段を有し、前記制御手段は、前記重畳量を変化させたときの前記受光手段で検出されたレーザ光量の変化に基づき、レーザ光量の変化量が所定値以下となるまで前記重畳量を順次増大調整することを特徴とする。
【０００７】
また、本発明は、レーザ光射出手段と、前記レーザ光射出手段に高周波成分が重畳された駆動電流を供給する駆動手段と、を備える光ディスク装置であって、前記レーザ光射出手段から射出されたレーザ光量を検出する検出手段と、前記レーザ光量に応じて前記高周波成分の重畳量を調整する制御手段とを有し、前記検出手段は、合焦状態において前記レーザ光射出手段から射出され光ディスクで反射されたレーザ光量を検出する受光手段を有し、前記制御手段は、前記重畳量を変化させたときの前記受光手段で検出されたレーザ光量（すなわち反射光量）の変化に基づき、レーザ光量の変化量が所定値以下となるまで前記重畳量を順次増大調整することを特徴とする。
【０００８】
また、本発明は、レーザ光射出手段と、前記レーザ光射出手段に高周波成分が重畳された駆動電流を供給する駆動手段と、を備える光ディスク装置であって、前記レーザ光射出手段から射出されたレーザ光量を検出する検出手段と、前記レーザ光量に応じて前記高周波成分の重畳量を調整する制御手段とを有し、前記検出手段は、合焦状態及び非合焦状態において前記レーザ光射出手段から射出され光ディスクで反射されたレーザ光量を検出する受光手段を有し、前記制御手段は、前記合焦状態における前記受光手段で検出されたレーザ光量（すなわち反射光量）が前記非合焦状態におけるレーザ光量に対して所定値より大なる場合に前記高周波成分の重畳量を増大させることを特徴とする。
【０００９】
また、本発明は、レーザ光射出手段と、前記レーザ光射出手段に高周波成分が重畳された駆動電流を供給する駆動手段と、を備える光ディスク装置であって、前記レーザ光射出手段から射出されたレーザ光量を検出する検出手段と、前記レーザ光量に応じて前記高周波成分の重畳量を調整する制御手段とを有し、前記検出手段は、前記レーザ光射出手段近傍に設けられ、合焦状態及び非合焦状態において前記レーザ光射出手段からのレーザ光量を検出する受光手段を有し、前記制御手段は、前記合焦状態における前記受光手段で検出されたレーザ光量（すなわち射出光量）が前記非合焦状態におけるレーザ光量に対して所定値より大なる場合に前記高周波成分の重畳量を増大させることを特徴とする。
【００１０】
また、本発明は、レーザ光射出手段と、前記レーザ光射出手段に高周波成分が重畳された駆動電流を供給する駆動手段と、を備える光ディスク装置であって、前記レーザ光射出手段から射出されたレーザ光量を検出する検出手段と、前記レーザ光量に応じて前記高周波成分の重畳量を調整する制御手段とを有し、前記検出手段は、前記レーザ光射出手段から射出され光ディスクのピット及びランドで反射されたレーザ光量を検出する受光手段を有し、前記制御手段は、前記ランドにおける前記受光手段で検出されたレーザ光量が前記ピットにおけるレーザ光量に対して所定値より大なる場合に前記高周波成分の重畳量を増大させることを特徴とする。
【００１１】
また、本発明は、レーザ光射出手段と、前記レーザ光射出手段に高周波成分が重畳された駆動電流を供給する駆動手段と、を備える光ディスク装置であって、前記レーザ光射出手段から射出されたレーザ光量を検出する検出手段と、前記レーザ光量に応じて前記高周波成分の重畳量を調整する制御手段とを有し、前記検出手段は、前記レーザ光射出手段近傍に設けられ、光ディスクのピット及びランドにおいて前記レーザ光射出手段から射出されたレーザ光量を検出する受光手段を有し、前記制御手段は、前記ランドにおける前記受光手段で検出されたレーザ光量（すなわち射出光量）が前記ピットにおけるレーザ光量に対して所定値より大なる場合に前記高周波成分の重畳量を増大させることを特徴とする。
【００１２】
本装置において、前記レーザ光射出手段から射出されるレーザ光量を一定に維持する調整手段とをさらに有し、前記制御手段は、前記調整手段の動作を実質的に停止させて前記重畳量を調整することも好適である。
【００１３】
また、本発明は、レーザ光射出手段と、前記レーザ光射出手段に高周波成分が重畳された駆動電流を供給する駆動手段とを備える光ディスク装置であって、前記レーザ光射出手段から射出されるレーザ光量を一定に維持すべく駆動電流を調整する調整手段と、前記駆動電流が基準値以下である場合に前記高周波成分の重畳量を増大させるように調整する制御手段とを有することを特徴とする。
【００１４】
また、本発明は、レーザ光射出手段と、前記レーザ光射出手段に高周波成分が重畳された駆動電流を供給する駆動手段と、を備える光ディスク装置であって、合焦状態及び非合焦状態において前記レーザ光射出手段から射出されるレーザ光量を一定に維持すべく駆動電流を調整する調整手段と、前記合焦状態における駆動電流が前記非合焦状態における駆動電流よりも所定値以上小なる場合に前記高周波成分の重畳量を増大させる制御手段とを有することを特徴とする。
【００１５】
このように、本発明の光ディスク装置では、高周波信号（ＨＦ）の重畳量が適用でない、より詳しくはレーザダイオードなどの特性ばらつきにより重畳量が不足している場合には、戻り光の影響によりレーザダイオードから射出されるレーザ光量が増大するという事実に着目し、このレーザ光量に基づき重畳量を最適化するものである。
【００１６】
図１３には、ＨＦが重畳されない場合（ＨＦＯＦＦ）とＨＦが適当量だけ重畳された場合（ＨＦＯＮ）の駆動電流Ｉと射出レーザパワーＰとの関係が示されている。ＨＦを重畳しない場合（ＨＦが重畳されていても不足している場合も含まれる）にはレーザダイオードに入射する戻り光の影響で同一駆動電流であってもレーザパワーＰが増大し、しきい電流Ｉｔｈも低下する。したがって、射出レーザ光量（あるいは射出レーザパワー）の大小を評価し、基準値よりも大なる場合に重畳量を増大させることで、レーザダイオードに特性ばらつきがあってもその特性に応じた最適の重畳量に自動設定できる。
【００１７】
なお、戻り光の影響によるレーザ光量の増大は、戻り光自体の光量が大きい程顕著となる。したがって、戻り光量の大きいジャストフォーカス状態を用いてレーザ光量を評価することが望ましい。
【００１８】
また、レーザ光量を常に基準光量に維持するコントロール回路を有する場合、レーザ光量に基づき重畳量の過不足を判定することはできないが、コントロール回路により調整される駆動電流自体が射出レーザ光量に応じて増減するため、レーザ光量ではなく駆動電流の大小により重畳量を最適化できる。より詳しくは、重畳量が不足してレーザ光量が増大すると、この光量増大を抑制するように駆動電流は小さく制御されるため、駆動電流が基準値より小さい場合に重畳量を増大調整すればよい。
【００１９】
本発明は、ＣＤ−ＲＯＭドライブやＣＤ−Ｒ／ＲＷドライブ、ＤＶＤ−ＲＯＭドライブ、ＤＶＤ−Ｒ／ＲＷ、ＤＶＤ−ＲＡＭドライブなどに広く適用することができる。
【００２０】
【発明の実施の形態】
以下、図面に基づき本発明の実施形態について説明する。
【００２１】
＜第１実施形態＞
図１には、本実施形態に係る光ディスク装置の構成ブロック図が示されている。ＣＤ−Ｒ／ＲＷやＤＶＤ−Ｒ／ＲＷ等の光ディスク１０は、図示しないスピンドルモータにより回転駆動される。
【００２２】
ピックアップ（ＰＵ）１２は、光ディスク１０に対向配置され、光ディスク１０の表面にレーザ光を照射するレーザダイオード（ＬＤ）を含む。レーザダイオードは、レーザダイオード駆動回路（ＬＤＤ）３２により駆動され、データを再生する際には再生パワーのレーザ光を照射し、記録する際には記録パワー（記録パワー＞再生パワー）のレーザ光を照射する。また、ピックアップ１２は、光ディスク１０から反射したレーザ光を電気信号に変換するフォトディテクタを有し、再生信号をサーボ検出部１４及びＲＦ検出部２０に出力する。
【００２３】
ＬＤＤ３２は、コントローラ３０からのパルスに基づき駆動電流信号を生成してＬＤを駆動する。駆動電流には、従来と同様に３００ＭＨｚ程度の高周波信号（ＨＦ）が重畳されるが、本実施形態における重畳量は固定ではなく、コントローラ３０により適宜調整される。ＬＤＤ３２の構成についてはさらに後述する。
【００２４】
サーボ検出部１４は、ピックアップ１２からの信号に基づきトラッキングエラー信号及びフォーカスエラー信号を生成してそれぞれトラッキング制御部１６及びフォーカス制御部１８に出力する。トラッキング制御部１６は、トラッキングエラー信号に基づきピックアップ１２を光ディスク１０のトラック方向に駆動してオントラック状態とする。また、フォーカス制御部１８はフォーカスエラー信号に基づきピックアップ１２をフォーカス方向に駆動して合焦状態（ジャストフォーカス状態）とする。例えば４分割フォトディテクタの場合、半径方向に分割されたディテクタの差分からトラッキングエラー信号が生成され、４分割フォトディテクタの対角和の差分からフォーカスエラー信号が生成される。もちろん、他の方式も可能である。
【００２５】
ＲＦ検出部２０は、ピックアップ１２からの信号を増幅して再生ＲＦ信号を生成してイコライザ（ＥＱ）２２に出力する。イコライザ２２は、再生ＲＦ信号の所定周波数、具体的には３Ｔ信号の振幅をブーストして二値化器２４に出力する。二値化器２４は、ブーストされたＲＦ信号を二値化し、デコーダ２６に出力する。デコーダ２６は、入力した二値化信号を復調してコントローラ３０に出力する。また、ＲＦ信号は、４分割フォトディテクタの全ての和の信号（ＲＦ和信号）をコントローラ３０に出力する。ＲＦ和信号は、ＬＤから射出したレーザ光量を評価する信号として用いられる。
【００２６】
コントローラ３０は、サーボ検出部１４やＲＦ検出部２０、ＬＤＤ３２等の各部の動作を制御するとともに、デコーダ２６からの復調データをパーソナルコンピュータ等の上位装置に出力する。また、コントローラ３０は、ＲＦ和信号に基づきレーザ光量を評価し、レーザ光量の大小によりＨＦ重畳量の過不足を判定して重畳量が適正量となるように制御する。
【００２７】
図２には、図１におけるＬＤＤ３２の構成ブロック図が示されている。ＬＤＤ３２は、ＬＤ駆動電流生成部３２ａ、高周波生成部３２ｂ及び加算器を有して構成される。ＬＤ駆動電流生成部３２ａ及び高周波生成部３２ｂはともにコントローラ３０からの制御信号により制御される。ＬＤ駆動電流生成部３２ａはコントローラ３０からの制御信号に基づき記録レベルあるいは再生レベルの駆動電流信号を生成して出力する。一方、高周波生成部３２ｂは、３００ＭＨｚ程度のＨＦを発生して加算器に出力する。加算器では、駆動電流信号にＨＦを重畳してＬＤに供給する。高周波生成部３２ｂからのＨＦのレベルはコントローラ３０からの信号により増減調整される。具体的には、コントローラ３０は、ＬＤからのレーザ光量が大なる場合には、ＨＦの重畳量が不足していると判定して重畳量を増大させる。レーザ光量の大小は、合焦状態におけるＲＦ和信号のレベルで評価する。
【００２８】
図３には、フォーカス状態とＲＦ和信号レベルの関係が示されている。（ａ）はフォーカスエラー信号であり、対物レンズが光ディスク１０に近すぎる場合、あるいは遠すぎる場合のいずれにおいてもエラー信号の振幅が増大し、ジャストフォーカス状態においてゼロレベル（Ｓ字カーブのゼロクロス）となる。そして、ジャストフォーカス状態においては（ｂ）に示されるようにＲＦ和信号もデフォーカス状態に比べてレベルが大きくなる。本実施形態においては、コントローラ３０は、このジャストフォーカス状態におけるＲＦ和信号のレベルの大小、言い換えればジャストフォーカス状態とデフォーカス状態におけるＲＦ和信号のレベル変化に基づきＨＦ重畳量の過不足を判定する。すなわち、ジャストフォーカス状態においては戻り光量も増大するから、ＨＦ重畳量が不足している場合には戻り光の影響でＬＤから射出されるレーザ光量が急増し、ＲＦ和信号も急増することになる。一方、重畳量が適当であれば、ジャストフォーカス状態において戻り光量が増大してもＬＤから射出されるレーザ光量は急増せず、デフォーカス状態との差異が大きくならない。したがって、ジャストフォーカス時におけるＲＦ和信号が基準値よりも大きい場合（デフォーカス状態よりもジャストフォーカス状態のレベルが所定値以上大きい場合と等価）には重畳量は不足しており、ジャストフォーカス時におけるＲＦ和信号が基準値以下である場合（デフォーカス状態とジャストフォーカス状態のレベル差が許容範囲内にある場合と等価）には重畳量が適当であると判定できる。
【００２９】
図４には、ＨＦを重畳しない場合のＲＦ和信号と、ＨＦを適当な量だけ重畳した場合のＲＦ和信号の変化が示されている。なお、参考のため（ａ）にはフォーカスエラー信号が示されている。ジャストフォーカス状態においてはＲＦ和信号が極大となるが、ＨＦが重畳されていない場合、（ｂ）に示されるように戻り光の影響により同一駆動電流でもＬＤからのレーザ光量が急激に増大してその変化がＲＦ和信号に現れる。一方、ＨＦが適度に重畳されている場合、（ｃ）に示されるようにジャストフォーカス状態においてＲＦ和信号は極大となるものの比較的穏やかに増大するだけで、急峻にレーザ光量が増大することはない。このように、ＨＦ重畳量が不足する場合にはレーザ光量が急峻に増大するため、ジャストフォーカス状態におけるレーザ光量の急激な増大（ＲＦ和信号の急激な増大）が消失するまで順次重畳量を増大させていくことで、最適な重畳量に調整することが可能となる。
【００３０】
図５には、以上の原理に基づく本実施形態の処理フローチャートが示されている。まず、ＬＤを駆動するとともに、パラメータＫを設定する（Ｓ１１０）。パラメータＫは、ＨＦ重畳量が不足していると判定するための基準値である。
【００３１】
次に、ＬＤから射出されるレーザ光量を一定に維持するＡＬＰＣ（オートレーザパワーコントロール）の動作を停止する（Ｓ１０２）。ＡＬＰＣは、例えばＬＤ近傍にフォトディテクタを設け、レーザ光量に比例する電流信号あるいは電圧信号を出力し、信号レベルを所定値と比較しその差に基づき駆動電流値を調整することで実行できる。ＡＬＰＣの動作を停止するのは、本実施形態においてはレーザ光量の変化に基づきＨＦ重畳量の過不足を評価するため、ＡＬＰＣをＯＮすると重畳量が評価できなくなるからである。なお、ＡＬＰＣは動作させるものの、その応答性を十分遅く設定してもよく、要はＡＬＰＣの動作を実質的に停止させればよい。
【００３２】
そして、ＨＦの重畳量ＩをＩｏ（ｍＡ）に初期化し（Ｓ１０３）、ジャストフォーカス時のＲＦ和信号のレベルＭＰ１を測定する（Ｓ１０４）。次に、ＨＦの重畳量Ｉを１ｍＡだけ増大させ（Ｓ１０５）、再びジャストフォーカス時のＲＦ和信号レベルＭＰ２を測定する（Ｓ１０６）。そして、ＭＰ１とＭＰ２の差分値の絶対値｜ＭＰ１−ＭＰ２｜がパラメータＫより大きいか否かを判定する（Ｓ１０７）。
【００３３】
差分値の絶対値がパラメータＫ以下である、すなわちＨＦの重畳量を１ｍＡだけ増大させてもパラメータＫの範囲内で変化がない場合には、十分な重畳量が得られていると判定し、現在のＨＦ重畳量ＩｍＡを最適量とする（Ｓ１０８）。
【００３４】
一方、差分値の絶対値がパラメータＫより大きい、すなわちＨＦ重畳量Ｉを１ｍＡだけ増大させた場合にジャストフォーカス時のＲＦ和信号レベルが前回の値に比べて大きく減少した場合、高周波信号の重畳量が未だ不足していると判定して現在のＭＰ２を新たなＭＰ１とし（Ｓ１０９）、再びＳ１０５の処理に移行してＨＦ重畳量をさらに１ｍＡだけ増大させる。以上の処理を繰り返すことで、高周波信号の重畳量ＩｍＡを増大させてもほとんど変化がなくなった場合、十分な重畳量が得られたものと判定してその時の重畳量ＩｍＡを最適重畳量とする（Ｓ１０８）。
【００３５】
なお、初期値Ｉｏはある程度の重畳量とすることが望ましい。その理由は、仮にＩ＝０ｍＡからスタートすると、次にＩ＝１ｍＡに増大させても同様に重畳量が不足しているため結果としてＲＦ和信号レベルに大きな差が生じないおそれもあるからである。したがって、例えばＩｏは従来技術において固定値として用いていた重畳量、あるいは当該重畳量より所定値だけ小さい重畳量を採用することができる。重畳量Ｉの増分を１ｍＡではなく、ＲＦ和信号レベルに差が生じるのに十分な増分としてもよい。
【００３６】
また、デフォーカス状態（ジャストフォーカス状態から微小量だけずれた状態を意味する）のＲＦ和信号のレベルをＭＰ１、フォーカス状態のＲＦ和信号のレベルをＭＰ２とし、両レベルの差分値の絶対値をパラメータＫと大小比較しても良い。この場合、差分値の絶対値がパラメータＫより大きい場合（言い換えればジャストフォーカス状態のＲＦ和信号レベルがデフォーカス状態のＲＦ和信号レベルに対して所定値より大である）には未だＨＦ重畳量が未だ不足していると判定してＳ１０９の処理を行うことなくＳ１０５の処理に移行し、重畳量Ｉを１ｍＡだけ増大させて再びジャストフォーカス状態におけるＲＦ和信号のレベルＭＰ２を測定し再度差分値の絶対値をパラメータＫと比較すればよい。差分値の絶対値がパラメータＫ以下となった（言い換えればジャストフォーカス状態のＲＦ和信号レベルがデフォーカス状態のＲＦ和信号レベルに対して所定値以下となった）時点で、ＨＦ重畳量が適正量になったものと判定する。
【００３７】
もちろん、ＨＦ重畳量をさらに増大させることも可能であるが、ＨＦ重畳量はＬＤの最大射出パワーを制限する要因となるため、できるだけ小さく設定することが望ましい。
【００３８】
このように、本実施形態においては、ＨＦ重畳量が不足している場合にはジャストフォーカス状態においてＲＦ和信号レベルが著しく増大し、ＨＦ重畳量が適正値に近づくにつれＲＦ和信号レベルが小さくなる事実を利用してＨＦ重畳量を調整するものであり、ＬＤの特性ばらつきが生じていても、そのＬＤ特性に合致したＨＦ重畳量が得られる。
【００３９】
＜第２実施形態＞
図６には、本実施形態に係る光ディスク装置の構成ブロック図が示されている。上述した第１実施形態との相違は、ピックアップ１２内のＬＤ近傍にモニタ用のフォトディテクタ及びフォトディテクタからの検出電流信号を電圧信号に変換するＩ／Ｖ変換回路４２が設けられる点である。なお、これらフォトディテクタ及びＩ／Ｖ変換回路４２は、上述したＡＬＰＣ用の部品をそのまま援用できる。ＬＤから射出したレーザ光量に比例する電圧信号はコントローラ３０に供給される。コントローラ３０は、この電圧信号の大小に基づきＨＦ重畳量の過不足を判定して重畳量を調整する。
【００４０】
図７には、フォーカスエラー信号とＨＦが重畳されない場合のＩ／Ｖ出力、及びＨＦが重畳された場合のＩ／Ｖ出力が示されている。なお、参考のため（ａ）にはフォーカスエラー信号が示されている。第１実施形態で述べたように、ジャストフォーカス状態においては光ディスク１０からの戻り光量が増大する。ＨＦが重畳されていない場合には、（ｂ）に示されるように戻り光の影響により同一駆動電流でもＬＤから射出されるレーザ光量が急増し、その変化がＩ／Ｖ出力として現れる。一方、ＨＦが適当に重畳されている場合、（ｃ）に示されるように戻り光量が増大しても同一駆動電流に対してＬＤから射出されるレーザ光量は急増せず、Ｉ／Ｖ出力も急増しない。したがって、Ｉ／Ｖ出力を監視し、その出力値の大小によりＨＦ重畳量の過不足を判定でき、また、ジャストフォーカス状態においてＩ／Ｖ出力が急増しない程度までＨＦ重畳量を増大させることで、ＨＦ重畳量を調整することができる。
【００４１】
図８には、以上の原理に基づく本実施形態の処理フローチャートが示されている。Ｓ２０１〜Ｓ２０３の処理は図５におけるＳ１０１〜Ｓ１０３と同一であり、パラメータＫを設定するとともにＡＬＰＣ（オートレーザパワーコントロール）の動作を停止してＨＦ重畳量の調整に備える。なお、ＡＬＰＣの動作を停止するとは、コントローラ３０にはＩ／Ｖ出力が供給されるが、コントローラ３０はＩ／Ｖ出力を用いてレーザ光量の調整は行わないことを意味する。
【００４２】
そして、デフォーカス時のフロントモニタレベル、すなわちＩ／Ｖ出力レベルＭＰ１を測定する（Ｓ２０４）。また、ジャストフォーカス時のフロントモニタレベル、すなわちＩ／Ｖ出力レベルＭＰ２を測定し（Ｓ２０５）、両レベルの差分の絶対値｜ＭＰ１−ＭＰ２｜をパラメータＫと比較する（Ｓ２０６）。差分値の絶対値がパラメータＫ以下、すなわち両レベルに大きな差異がない場合には、ＨＦ重畳量Ｉが適当なレベルにあると判定し、ＨＦ重畳量を現在の設定であるＩｍＡとする（Ｓ２０７）。
【００４３】
一方、差分値の絶対値がパラメータＫより大きい場合、すなわちジャストフォーカス時のＩ／ＶレベルＭＰ２がデフォーカス時のレベルよりも著しく大きい場合には、ＨＦ重畳量が未だ不足していると判定し、重畳量Ｉを１ｍＡだけ増大させ（Ｓ２０８）、再びジャストフォーカス時のＩ／ＶレベルＭＰ２を測定して両レベルを大小比較する。以上の処理を繰り返し実行し、両レベルの差分の絶対値がパラメータＫ以下となり、デフォーカス時とジャストフォーカス時でＩ／Ｖ出力レベルに大きな差異が生じなくなった時点で適当なＨＦ重畳量が得られたと判定する（Ｓ２０６でＮＯ）。
【００４４】
本実施形態によっても、ＬＤ特性のばらつきがあっても順次重畳量が調整されて最適量に設定されるため、戻り光によるノイズを抑制して再生特性やサーボ性能を安定化することができる。
【００４５】
＜第３実施形態＞
ＣＤ−ＲＯＭやＤＶＤ−ＲＯＭの場合、光ディスク１０にはピットが予め記録されており、ＬＤから射出したレーザ光はピットで回折されピックアップ１２に入射する。一方、ＣＤ−ＲやＤＶＤ−Ｒの場合でも、既に記録済みの光ディスク１０ではピットが存在するため、同様にＬＤからのレーザ光はピットで回折されてピックアップ１２に入射する。したがって、ピット領域ではレーザ光が回折されるため反射光量は減少し、ピットが存在していないランド領域では光ディスク１０は平坦であるためその反射光量は増大する。ランド領域において反射光量が増大すると、ＨＦが適度に重畳されていない場合、その戻り光の影響によりＬＤから射出されるレーザ光量は増大する。本実施形態においては、このようにピットとランドが形成された光ディスクにおいて、ランドにおける戻り光の影響によるレーザ光量の大きさに基づきＨＦの重畳量を評価する。
【００４６】
図９には、ピットとランドにおけるＲＦ和信号のレベル変化とＨＦが重畳されない場合のＩ／Ｖ出力、及びＨＦが重畳された場合のＩ／Ｖ出力が示されている。（ａ）に示されるようにＲＦ和信号はランドにおいて極大となり、ピットにおいて極小となる。そして、ＨＦが重畳されない場合、（ｂ）に示されるようにランドにおける戻り光の影響によりＬＤから射出されるレーザ光量も増大してＩ／Ｖ出力レベルも増大する。一方、ＨＦが適当に重畳されている場合、（ｃ）に示されるようにランドにおいて戻り光が増大してもＬＤから射出されるレーザ光量に大きな変化はない（ピットにおけるよりもレベルは増大するが、ＨＦ無しの場合よりもその増分は十分小さい）。本実施形態では、このようにランドにおけるレーザ光量の変化に基づきＨＦ重畳量の過不足を判定して重畳量を調整する。
【００４７】
なお、図９（ａ）には、ＨＦが重畳されない場合（一点鎖線）とＨＦが適当に重畳された場合（実線）のＲＦ和信号も示されている。ＬＤから射出されるレーザ光量が増大するとその戻り光のＲＦ和信号も増大し、特にランドにおいて顕著となる。したがって、Ｉ／Ｖ出力ではなく、ＲＦ和信号レベルによってもＨＦ重畳量の過不足を判定することができる。
【００４８】
図１０には、以上の原理に基づく本実施形態の処理フローチャートが示されている。この処理は、ＬＤから射出されるレーザ光量のＩ／Ｖ出力に基づいてＨＦ重畳量を調整する場合である。Ｓ３０１〜Ｓ３０３はＳ１０１〜Ｓ１０３と同様であり、パラメータＫを設定するとともにＡＬＰＣの動作を停止させＨＦ重畳量の調整に備える。次に、ピットにおけるフロントモニタレベル、すなわちＩ／ＶレベルＭＰ１を測定し（Ｓ３０４）、さらにランドにおけるフロントモニタレベル、すなわちＩ／ＶレベルＭＰ２を測定する（Ｓ３０５）。ピット及びランドにおけるＩ／Ｖレベルは例えばＲＦ信号のピーク値及びボトム値と同期をとることで検出できる。そして、両レベルの差分値の絶対値｜ＭＰ１−ＭＰ２｜をパラメータＫと大小比較し、差分値の絶対値がパラメータＫ以下の場合には十分なＨＦ重畳量が得られていると判定して現在の重畳量Ｉを最適値として設定する（Ｓ３０７）。一方、差分値の絶対値がパラメータＫより大なる場合には、ＨＦ重畳量が未だ不足していると判定してＨＦ重畳量Ｉを１ｍＡだけ順次増大させ（Ｓ３０８）、再びピットのＩ／ＶレベルＭＰ１とランドのＩ／ＶレベルＭＰ２を測定して両レベルの差分値の絶対値をパラメータＫと比較する。差分値の絶対値がパラメータＫ以下となった場合、ＨＦ重畳量が適当量となり、ピットとランドにおけるＩ／Ｖレベルに大きな相違がなくなったと判定して現在のＨＦ重畳量Ｉを最適値として設定する。
【００４９】
一方、光ディスク１０からの反射光のＲＦ和信号によりＨＦ重畳量を調整する場合には、Ｓ３０４にてピットのＲＦ和信号レベルＭＰ１を測定し、Ｓ３０５にてランドのＲＦ和信号レベルＭＰ２を測定して両レベルを比較すればよい。
【００５０】
本実施形態においても、ＬＤの特性ばらつきがあってもその特性に応じてＨＦ重畳量が調整されるため、ノイズを抑え再生性能やサーボ性能を安定化することができる。
【００５１】
＜第４実施形態＞
上述した第１〜第３実施形態においては、ＬＤから射出されるレーザ光量の大小に応じてＨＦ重畳量の過不足を判定しているが、ＡＬＰＣの動作をＯＮした場合、レーザ光量が基準値よりも増大している場合にはレーザ光量を減らすように駆動電流を小さくし、レーザ光量が基準値よりも小さい場合には光量を増大させるべく駆動電流を大きくする。したがって、ＨＦ重畳量が不足しており、戻り光の影響によりＬＤからのレーザ光量が増大した場合、この増大を抑えるように駆動電流を小さく制御ため、駆動電流値の大小に基づきＨＦ重畳量の過不足を判定することも可能である。
【００５２】
図１１には、以上のような原理に基づく本実施形態の処理フローチャートが示されている。まず、ＬＤをＯＮするとともにパラメータＫを設定する（Ｓ４０１）。次に、ＡＬＰＣの動作をＯＮし（Ｓ４０２）、ＬＤから射出されるレーザ光量を一定とするように駆動電流を増減調整する。具体的には、フロントモニタで検出された光量に比例する電流信号を電圧信号に変換し、この電圧信号レベルを基準値（基準光量に対応する電圧値）と比較し、その差分値に基づき駆動電流を増減調整する。
【００５３】
そして、ＨＦ重畳量を０ｍＡに初期化し（Ｓ４０３）、デフォーカス時のＬＤ駆動電流Ｉ１を測定する（Ｓ４０４）。また、ジャストフォーカス時のＬＤ駆動電流Ｉ２を測定し（Ｓ４０５）、Ｉ１とＩ２の差分の絶対値｜Ｉ１−Ｉ２｜をパラメータＫと大小比較する（Ｓ４０６）。両駆動電流に大きな差が生じていない場合、ＨＦ重畳量が適当であってＬＤから射出されるレーザ光量に大きな変化がないと判定し、現在のＨＦ重畳量Ｉを最適量とする（Ｓ４０７）。一方、差分値の絶対値がパラメータＫより大なる場合、ＨＦ重畳量が未だ不足しており、ジャストフォーカス時においてＬＤから射出されるレーザ光量が著しく大きく、このためＬＤ駆動電流Ｉ２が著しく小さくなったものと判定してＨＦ重畳量Ｉを１ｍＡだけ増大させて（Ｓ４０８）、再びジャストフォーカス時のＬＤ駆動電流Ｉ２を測定して両駆動電流の差分値をパラメータＫと比較する。以上の処理を繰り返し実行することにより、差分値がパラメータＫ以下となった時点でＨＦ重畳量が最適量であると判定される。
【００５４】
本実施形態によっても、ＬＤの特性のばらつきによらず、その特性に応じて最適なＨＦ重畳量が設定され、ノイズを抑制することができる。
【００５５】
以上、本発明の実施形態について説明したが、本発明はこれに限定されるものではなく種々の変更が可能である。
【００５６】
例えば、第３実施形態においては、ピットにおけるフロントモニタレベルとランドにおけるフロントモニタレベルの相違に基づいてＨＦ重畳量を調整しているが、ＣＤ−ＲやＤＶＤ−Ｒ等の記録可能な光ディスクにおいて未だデータが記録されておらずピットが存在していない場合には、トラッキング及びフォーカスをＯＮした状態で順次ＨＦ重畳量を増大させながらフロントモニタレベルを監視し、フロントモニタレベルが所定値よりも大なる場合には未だ重畳量が不足していると判定して所定値以下となるまで増大調整することも可能である。
【００５７】
また、第４実施形態では、デフォーカス状態における駆動電流Ｉ１とジャストフォーカス状態における駆動電流Ｉ２との差分を用いてＨＦ重畳量の過不足を評価しているが、ジャストフォーカス状態における駆動電流Ｉ２自体を所定の基準値と大小比較し、基準値以上となるまで重畳量を順次増大調整することもできる。
【００５８】
【発明の効果】
以上説明したように、本発明によればレーザダイオード（半導体レーザ）に特性ばらつきが生じていても、高周波信号（ＨＦ）の重畳量を最適化し、再生特性やサーボ性能を安定化させることができる。
【図面の簡単な説明】
【図１】  第１実施形態の構成ブロック図である。
【図２】  図１におけるＬＤＤの構成ブロック図である。
【図３】  フォーカスエラー信号とＲＦ和信号の変化説明図である。
【図４】  高周波信号重畳の有無によるＲＦ和信号変化説明図である。
【図５】  第１実施形態の処理フローチャートである。
【図６】  第２実施形態の構成ブロック図である。
【図７】  高周波信号の重畳の有無によるフロントモニタレベル（Ｉ／Ｖ出力）変化説明図である。
【図８】  第２実施形態の処理フローチャートである。
【図９】  ピットとランドにおける高周波信号重畳の有無によるフロントモニタレベル変化説明図である。
【図１０】  第３実施形態の処理フローチャートである。
【図１１】  第４実施形態の処理フローチャートである。
【図１２】  高周波信号重畳説明図である。
【図１３】  高周波信号重畳有無による駆動電流と出力パワーとの関係を示すグラフ図である。
【符号の説明】
１０  光ディスク、１２  ピックアップ（ＰＵ）、１４  サーボ検出部、１６トラッキング制御部、１８  フォーカス制御部、２０  ＲＦ検出部、２２  イコライザ（ＥＱ）、２４  二値化器、２６  デコーダ、３０  コントローラ、３２  ＬＤＤ（レーザダイオードドライバ）。
【図１】
0003937845.tif 000002
【図２】
0003937845.tif 000003
【図３】
0003937845.tif 000004
【図４】
0003937845.tif 000005
【図５】
0003937845.tif 000006
【図６】
0003937845.tif 000007
【図７】
0003937845.tif 000008
【図８】
0003937845.tif 000009
【図９】
0003937845.tif 000010
【図１０】
0003937845.tif 000011
【図１１】
0003937845.tif 000012
【図１２】
0003937845.tif 000013
【図１３】
0003937845.tif 000014